(57)【要約】【課題】  記録媒体に記録された多数の番組の中から所望の番組を、短時間に、かつ、簡単な操作で選択できるようにする。【解決手段】  開示される放送受信記録再生装置は、放送を受信して番組を記録及び再生するものである。この放送受信記録再生装置では、まず、番組記録部９に記録された録画番組の中から、表示部７を構成するディスプレイの画面に表示中の番組が有する第１の番組情報に含まれる所定の文字列の全部又は一部が含まれる第２の番組情報を有する録画番組を抽出している。次に、抽出された録画番組が有する第２の番組情報の少なくとも一部を上記画面にテロップとして表示している。【選択図】  図１
2008109453.tif 000002
【特許請求の範囲】
【請求項１】
放送を受信して番組を記録及び再生する放送受信記録再生装置であって、
記録された録画番組の中から、画面に表示中の番組が有する第１の番組情報に含まれる所定の文字列の全部又は一部を含む第２の番組情報を有する前記録画番組を抽出し、抽出された前記録画番組が有する前記第２の番組情報の少なくとも一部を前記画面に表示する
ことを特徴とする放送受信記録再生装置。
【請求項２】
抽出された前記録画番組が有する前記第２の番組情報の少なくとも一部は、前記画面にテロップとして表示する
ことを特徴とする請求項１に記載の放送受信記録再生装置。
【請求項３】
操作部の操作により、前記テロップの停止又は巻き戻しができるように構成されている
ことを特徴とする請求項２に記載の放送受信記録再生装置。
【請求項４】
前記画面に表示中の前記番組が有する前記第１の番組情報に含まれる複数の前記所定の文字列を前記画面に表示し、操作部の操作により選択された前記所定の文字列の全部又は一部を含む前記第２の番組情報を有する前記録画番組を記録された前記録画番組の中から抽出する
ことを特徴とする請求項１乃至３のいずれかに記載の放送受信記録再生装置。
【請求項５】
前記録画番組を抽出すべき、記録された前記録画番組の範囲は、前記画面に表示中の前記番組のジャンルに応じて異ならせることができるように構成されている
ことを特徴とする請求項１乃至４のいずれかに記載の放送受信記録再生装置。
【請求項６】
抽出された前記録画番組が有する前記第２の番組情報の少なくとも一部が前記画面に表示された状態において、前記操作部が操作されることにより、前記第２の番組情報を有する前記録画番組を再生することが指示できるように構成されている
ことを特徴とする請求項１乃至５のいずれかに記載の放送受信記録再生装置。
【請求項７】
抽出された前記録画番組が有する前記第２の番組情報の少なくとも一部が前記画面に表示された状態において、前記操作部が操作されることにより、前記画面に現在表示中の前記番組の終了後に、前記第２の番組情報を有する前記録画番組を再生することが指示できるように構成されている
ことを特徴とする請求項１乃至６のいずれかに記載の放送受信記録再生装置。
【請求項８】
抽出された前記録画番組が有する前記第２の番組情報の少なくとも一部が前記画面に表示された状態において、前記操作部が操作されることにより、前記画面に現在表示中の前記番組の表示を中断して前記第２の番組情報を有する前記録画番組を再生し、前記録画番組の再生終了後に、中断した前記番組の中断時以降分を再生することが指示できるように構成されている
ことを特徴とする請求項１乃至７のいずれかに記載の放送受信記録再生装置。
【請求項９】
抽出された前記録画番組が有する前記第２の番組情報の少なくとも一部が前記画面に表示された状態において、前記操作部が操作されることにより、前記第２の番組情報の一覧表を表示することが指示できるように構成されている
ことを特徴とする請求項１乃至８のいずれかに記載の放送受信記録再生装置。
【発明の詳細な説明】
【技術分野】
【０００１】
本発明は、放送を受信して番組を記録及び再生する放送受信記録再生装置に関する。
【背景技術】
【０００２】
従来、ビデオカセットテープやハードディスク（ＨＤ）等の記録媒体に記録された多数の番組の中から所望の番組を選択する際の支援を行うために、以下に示す技術が提案されている。従来の放送受信装置付き録画装置には、テープ識別手段と、リスト情報書込手段と、記憶手段と、リスト情報読出手段と、リスト映像出力手段とを備えているものがある。テープ識別手段は、装填されたビデオカセットテープの識別情報を読み取る。リスト情報書込手段は、ビデオカセットテープに記録するために受信している放送の映像から一以上の静止映像情報を生成し、当該静止映像情報をリスト情報として記憶手段に書き込む。リスト情報読出手段は、ビデオカセットテープの識別情報に基づいて上記リスト情報を記憶手段から読み出す。リスト映像出力手段は、リスト情報読出手段が読み出したリスト情報を映像信号に変換する（例えば、特許文献１参照。）。以下、この技術を第１の従来例と呼ぶ。
【０００３】
また、従来の放送受信記録再生装置には、動画映像生成手段と、記録媒体と、記録再生制御手段と、記録予約手段と、リスト提示手段と、設定手段と、選択手段とを備えたものもある。動画映像生成手段は、放送を受信して動画映像を生成する。記録再生制御手段は、記録媒体に対して動画映像の記録及び再生を行う。記録予約手段は、ユーザによって予約された番組を自動受信して動画映像を自動記録する。リスト提示手段は、上記動画映像内で選択されたサムネイル画像を記録コンテンツのリスト提示用として表示する。設定手段は、番組予約ごとに上記静止画の取得時間情報をユーザ入力に基づいて設定する。選択手段は、上記取得時間情報に基づいて上記静止画を選択する（例えば、特許文献２参照。）。以下、この技術を第２の従来例と呼ぶ。
【０００４】
また、現在放送されている番組や現在以後に放送開始予定の番組に関する情報が画面に表示される技術について、以下に示すように提案されている。従来のデジタル放送受信システムには、付加情報処理機能と、合成表示機能と、切換表示機能とを有したものがある。付加情報処理機能は、電子番組表（ＥＰＧ：Electronic Program Guide）などの番組に関する情報が付加されたデジタル放送信号を受信し、受信したデジタル放送信号中の番組に関する付加情報を取得して処理する機能である。合成表示機能は、番組に関する付加情報を、現在選局受信している番組の表示画像上に合わせて表示する機能である。切換表示機能は、現在選局受信している番組の表示画像上に表示する上記付加情報を、表示画面内の狭幅横長の領域内において、順次切り換えて表示する機能である（例えば、特許文献３参照。）。以下、この技術を第３の従来例と呼ぶ。
【０００５】
また、従来のデジタル放送受信装置には、ＥＰＧのデータを含むデジタル放送を受信してＥＰＧを表示可能であり、ＥＰＧ生成手段と、スクロール生成手段と、表示制御手段とを備えたものがある。ＥＰＧ生成手段は、ＥＰＧを生成する。スクロール生成手段は、上記電子番組案内のデータを用いて、番組情報をテロップで表示するための文字列を生成する。表示制御手段は、上記ＥＰＧ生成手段で生成されたＥＰＧと、上記スクロール生成手段で生成された文字列と、デジタル放送信号から復号した映像信号とを重ね合わせて出力する（例えば、特許文献４参照。）。以下、この技術を第４の従来例と呼ぶ。
【０００６】
【特許文献１】特開２００１−１８４８４４号公報
【特許文献２】特開２００４−３３６４４３号公報
【特許文献３】特開２００５−７９８１１号公報
【特許文献４】特開２００５−１１７３０７号公報
【発明の開示】
【発明が解決しようとする課題】
【０００７】
デジタル放送の普及に伴って、最近では、デジタル放送のすべてのチャンネル（例えば、数百チャンネル）を受信してすべての番組を一定期間分（例えば、１週間分）程度、記録媒体に記録する放送受信記録再生装置が開発されている。この種の放送受信記録再生装置で記録される番組数は、通常の放送受信記録再生装置で記録される番組数と比べて膨大である。従って、この種の放送受信記録再生装置では、記録媒体に記録された多数の番組の中から所望の番組を、短時間に、かつ、簡単に選択することが要請される。
【０００８】
ところが、この種の放送受信記録再生装置に上記した第１及び第２の従来例を適用した場合、上記した膨大な番組数に関するリスト情報やサムネイル画像を表示するためには非常に多くの画面が必要であるとともに、それらの中から所望の番組を探すためには、かなり時間と手間がかかるという課題がある。
【０００９】
一方、上記した第３及び第４の従来例では、現在放送されている番組や現在以後に放送開始予定の番組に関する付加情報や番組情報がテロップ表示されるが、既に記録済みの番組に関する情報は表示されない。従って、上記した要請に応えることはできない。
【００１０】
本発明は、上述した事情に鑑みてなされたものであり、上述のような課題を解決することができる放送受信記録再生装置を提供することを目的とする。
【課題を解決するための手段】
【００１１】
上記課題を解決するために、請求項１記載の発明に係る放送受信記録再生装置は、放送を受信して番組を記録及び再生する放送受信記録再生装置に係り、記録された録画番組の中から、画面に表示中の番組が有する第１の番組情報に含まれる所定の文字列の全部又は一部を含む第２の番組情報を有する前記録画番組を抽出し、抽出された前記録画番組が有する前記第２の番組情報の少なくとも一部を前記画面に表示することを特徴としている。
【００１２】
また、請求項２記載の発明は、請求項１に記載の放送受信記録再生装置に係り、抽出された前記録画番組が有する前記第２の番組情報の少なくとも一部は、前記画面にテロップとして表示することを特徴としている。
【００１３】
また、請求項３記載の発明は、請求項２に記載の放送受信記録再生装置に係り、操作部の操作により、前記テロップの停止又は巻き戻しができるように構成されていることを特徴としている。
【００１４】
また、請求項４記載の発明は、請求項１乃至３のいずれかに記載の放送受信記録再生装置に係り、前記画面に表示中の前記番組が有する前記第１の番組情報に含まれる複数の前記所定の文字列を前記画面に表示し、操作部の操作により選択された前記所定の文字列の全部又は一部を含む前記第２の番組情報を有する前記録画番組を記録された前記録画番組の中から抽出することを特徴としている。
【００１５】
また、請求項５記載の発明は、請求項１乃至４のいずれかに記載の放送受信記録再生装置前記録画番組を抽出すべき、記録された前記録画番組の範囲は、前記画面に表示中の前記番組のジャンルに応じて異ならせることができるように構成されていることを特徴としている。
【００１６】
また、請求項６記載の発明は、請求項１乃至５のいずれかに記載の放送受信記録再生装置に係り、抽出された前記録画番組が有する前記第２の番組情報の少なくとも一部が前記画面に表示された状態において、前記操作部が操作されることにより、前記第２の番組情報を有する前記録画番組を再生することが指示できるように構成されていることを特徴としている。
【００１７】
また、請求項７記載の発明は、請求項１乃至６のいずれかに記載の放送受信記録再生装置に係り、抽出された前記録画番組が有する前記第２の番組情報の少なくとも一部が前記画面に表示された状態において、前記操作部が操作されることにより、前記画面に現在表示中の前記番組の終了後に、前記第２の番組情報を有する前記録画番組を再生することが指示できるように構成されていることを特徴としている。
【００１８】
また、請求項８記載の発明は、請求項１乃至７のいずれかに記載の放送受信記録再生装置に係り、抽出された前記録画番組が有する前記第２の番組情報の少なくとも一部が前記画面に表示された状態において、前記操作部が操作されることにより、前記画面に現在表示中の前記番組の表示を中断して前記第２の番組情報を有する前記録画番組を再生し、前記録画番組の再生終了後に、中断した前記番組の中断時以降分を再生することが指示できるように構成されていることを特徴としている。
【００１９】
また、請求項９記載の発明は、請求項１乃至８のいずれかに記載の放送受信記録再生装置に係り、抽出された前記録画番組が有する前記第２の番組情報の少なくとも一部が前記画面に表示された状態において、前記操作部が操作されることにより、前記第２の番組情報の一覧表を表示することが指示できるように構成されていることを特徴としている。
【発明の効果】
【００２０】
本発明によれば、記録媒体に記録された多数の番組の中から所望の番組を、短時間に、かつ、簡単な操作で選択することができる。
【発明を実施するための最良の形態】
【００２１】
実施の形態１．
図１は、本発明の実施の形態１に係る放送受信記録再生装置の一部の構成を示すブロック図である。本実施の形態１に係る放送受信記録再生装置は、アンテナ１に接続され、複数のチューナ２１〜２ｎ（ｎは自然数）と、デマルチプレクサ（ＤＥＭＵＸ）３と、セレクタ４と、ＭＰＥＧデコーダ５と、映像合成部６と、表示部７と、制御部８と、番組記録部９と、操作部１０と、記憶部１１と、テロップ生成部１２とを有している。
【００２２】
本実施の形態１に係る放送受信記録再生装置は、デジタル放送のすべてのチャンネル（例えば、数百チャンネル）を同時に受信してすべての番組を一定期間分（例えば、１週間分）程度、番組記録部９に記録し、再生するものである。ここで、デジタル放送としては、例えば、地上波デジタル放送、ＢＳ（放送衛星）デジタル放送、ＣＳ（通信衛星）デジタル放送がある。この場合、上記アンテナ１は、原則として、地上波デジタル放送、ＢＳデジタル放送、ＣＳデジタル放送ごとに設けられるが、ＢＳデジタル放送及びＣＳデジタル放送については１つで共用できる場合もある。
【００２３】
チューナ２１〜２ｎは、デジタル放送の各チャンネルごとにそれぞれ設けられている。チューナ２１〜２ｎは、制御部８から供給される制御信号に基づいて、アンテナ１で受信された対応するチャンネルの放送信号について、それぞれ多重化されたトランスポートストリーム信号ＴＳ１〜ＴＳｎへのデジタル復調や誤り訂正、暗号化されたデータの復号化（適宜）等を行う。チューナ２１〜２ｎは、対応するトランスポートストリーム信号ＴＳ１〜ＴＳｎをデマルチプレクサ３にそれぞれ供給する。なお、トランスポートストリーム信号ＴＳ１〜ＴＳｎを総称するときは、単にトランスポートストリーム信号ＴＳと表す。
【００２４】
デマルチプレクサ３は、制御部８から供給される制御信号に基づいて、各チューナ２１〜２ｎから供給されるトランスポートストリーム信号ＴＳ１〜ＴＳｎについて、圧縮符号化されたＭＰＥＧデータＭＤＩ及び付加情報ＳＩ（Service Information）等の分離、抽出等を行う。デマルチプレクサ３は、制御部８から供給される制御信号に基づいて、番組ごとのＭＰＥＧデータＭＤＩをセレクタ４及び番組記録部９にそれぞれ供給するとともに、番組ごとの付加情報ＳＩを制御部８及び番組記録部９にそれぞれ供給する。
【００２５】
ここで、付加情報ＳＩには、例えば、チャンネル名、番組名、放送開始日時、放送終了日時、放送時間、番組内容、番組のジャンル、番組のサブジャンル、番組内イベント（例えば、視聴者プレゼント）、視聴者年齢制限情報、検索キーワード情報、番組登場人物の名前などの番組情報が含まれている。これらの番組情報は、各放送局が任意で付加するものであり、必須項目が規定されている訳ではない。上記した付加情報ＳＩには、現在放送されているすべてのチャンネルのすべての番組に関する番組情報及び、これから放送される予定（現在以後に放送開始予定）のすべてのチャンネルのすべての番組に関する番組情報が含まれている。なお、特許請求の範囲において、「第１の番組情報」とは、ユーザが現在視聴中の番組に関する番組情報のことを意味しており、「第２の番組情報」とは、番組記録部９に既に記録されている番組に関する番組情報のことを意味している。
【００２６】
セレクタ４は、制御部８から供給される制御信号に基づいて、デマルチプレクサ３から供給される、現在放送中のすべてのチャンネルのすべての番組のＭＰＥＧデータＭＤＩの中から、ユーザが視聴するために選択した、あるチャンネルのある番組のＭＰＥＧデータＭＤＩを選択して、ＭＰＥＧデータＭＤＳとしてＭＰＥＧデコーダ５に供給する。ＭＰＥＧデコーダ５は、制御部８から供給される制御信号に基づいて、セレクタ４から供給されるＭＰＥＧデータＭＤＳ又は、番組記録部９から供給されるＭＰＥＧデータＭＤＯを、映像データＶＤへデコードすること等を行う。
【００２７】
映像合成部６は、制御部８からＥＰＧテーブルＥＰＧＴが供給されず、かつ、テロップ生成部１２からテロップデータＴＲが供給されない場合には、制御部８から供給される制御信号に基づいて、ＭＰＥＧデコーダ５から供給される映像データＶＤをそのまま合成映像データＭＶとして表示部７に供給する。一方、制御部８からＥＰＧテーブルＥＰＧＴが供給された場合又はテロップ生成部１２からテロップデータＴＲが供給された場合には、映像合成部６は、制御部８から供給される制御信号に基づいて、上記映像データＶＤと、上記ＥＰＧテーブルＥＰＧＴ又は上記テロップデータＴＲのいずれか一方又は両方とを合成処理して、合成映像データＭＶを生成し、表示部７に供給する。
【００２８】
表示部７は、例えば、ＣＲＴディスプレイ、液晶ディスプレイ（ＬＣＤ；Liquid Crystal Display）、エレクトロルミネセンス（ＥＬ：electroluminescence）ディスプレイ、あるいはプラズマディスプレイパネル（ＰＤＰ；Plasma Display Panel）等のディスプレイを有している。表示部７は、映像合成部６から供給される合成映像データＭＶに基づいて、ディスプレイに映像を表示する。なお、表示部７は、放送受信記録再生装置と一体に構成されていても、別個に構成されていてもいずれでも良い。
【００２９】
制御部８は、中央処理装置（ＣＰＵ）、デジタルシグナルプロセッサ（ＤＳＰ）、シーケンサ等を有し、記憶部１１に記憶された各種プログラムを実行したりすることにより、この放送受信記録再生装置の各部を制御する。また、制御部８は、デマルチプレクサ３から順次供給される付加情報ＳＩから番組情報を取得して、記憶部１１の所定の記憶領域（番組情報記憶領域）に一時記憶するとともに、上記番組情報をチャンネルごとに定期的に処理してＥＰＧを構築及び更新して記憶部１１の所定の記憶領域（ＥＰＧ記憶領域）に記憶する。さらに、制御部８は、ユーザが操作部１０を操作して表示部７を構成するディスプレイへのＥＰＧの表示を指示した場合には、上記ＥＰＧ記憶領域に記憶されたＥＰＧに基づいて、上記ディスプレイにＥＰＧをＯＳＤ（On Screen Display）表示形式で表示するために必要なＥＰＧテーブルＥＰＧＴを生成して映像合成部６に供給する。
【００３０】
また、制御部８は、上記番組ごとの付加情報ＳＩに基づいて、番組記録部９を構成する記録媒体に記憶すべき番組ごとのＭＰＥＧデータＭＤＩ及び上記付加情報ＳＩを識別するためのインデックスデータＩＤを生成する。また、制御部８は、制御信号とともに、生成したインデックスデータＩＤを、対応するＭＰＥＧデータＭＤＩ及び付加情報ＳＩに関連づけて番組記録部９に順次供給する。この場合、制御部８は、すべてのチューナ２１〜２ｎによって受信されたすべてのチャンネルのすべての番組と上記インデックスデータＩＤとの対応関係を記憶部１１の所定の記憶領域（番組識別テーブル）に記憶させる。
【００３１】
また、制御部８は、ユーザが現在視聴している、放送中又は再生中の番組に関する付加情報ＳＩを構成する番組名、番組内容、番組のジャンル等の番組情報の中から１つ又は複数の文字列を抽出し、当該１つ又は複数の文字列をキーワードとして、番組記録部９を構成する記録媒体に記憶されている番組ごとの付加情報ＳＩを構成する番組名、番組内容、番組のジャンル等の番組情報を構成する文字列を検索する。次に、制御部８は、一致した文字列を有する番組に対応したインデックスデータＩＤの一覧表を作成して記憶部１１の所定の記憶領域（一覧表記憶領域）に記憶するとともに、この一覧表に基づいて、番組記録部９を構成する記録媒体に記憶されている番組ごとの付加情報ＳＩを取得して、この付加情報ＳＩに基づいて文字データＣＤを生成し、テロップ生成部１２に供給する。
【００３２】
番組記録部９は、ハードディスク（ＨＤ）、ＤＶＤ（Digital Versatile Disk）等の大容量で高速にアクセス可能な記録媒体を有している。番組記録部９は、制御部８から供給される制御信号及びインデックスデータＩＤに基づいて、デマルチプレクサ３から供給されるＭＰＥＧデータＭＤＩ及び付加情報ＳＩを、制御部８から供給されるインデックスデータＩＤに関連づけて上記記録媒体に記録する。また、番組記録部９は、制御部８から供給される制御信号及びインデックスデータＩＤに基づいて、当該インデックスデータＩＤに対応したＭＰＥＧデータＭＤＩ及び付加情報ＳＩを読み出し、ＭＰＥＧデコーダ５に供給する。なお、番組記録部９は、放送受信記録再生装置に内蔵されていても、外付けされていてもいずれでも良い。外付けの番組記録部９の場合、複数台設け、制御部８から供給される制御信号に基づいて、順次切り換えるように構成しても良い。
【００３３】
操作部１０は、リモコンと、リモコン受信部と、本体操作部とを有している。リモコンには、一般的なテレビジョン受信機に用いられるリモコンと同様、電源ボタン、チャンネルボタン、チャンネル増加ボタン、チャンネル減少ボタン、入力切換ボタン、音量増加ボタン、音量減少ボタン、登録ボタン、上カーソルボタン、下カーソルボタン、左カーソルボタン、右カーソルボタン、決定ボタン、青色ボタン、赤色ボタン、緑色ボタン、黄色ボタン等の各種のボタンが設けられている。これら各種のボタンのうち、青色ボタン、赤色ボタン、緑色ボタン及び黄色ボタンは、カラーボタンを構成しており、デジタル放送のＥＰＧやデータ番組の操作に用いられたり、後述するように、画面にテロップが表示されてている状態で押下されることにより視聴中の番組と関連した番組の再生処理等が指示されたりするボタンである。リモコン受信部は、リモコンからの赤外線パルスの制御信号を受信し、電気信号の制御信号に変換して制御部８に供給する。
【００３４】
本体操作部は、例えば、放送受信記録再生装置本体の右下部に設けられ、電源ボタン、入力切換ボタン、チャンネル増加ボタン、チャンネル減少ボタン、音量増加ボタン、音量減少ボタン、登録ボタン、上カーソルボタン、下カーソルボタン、左カーソルボタン、右カーソルボタン、決定ボタンなど各種のボタンから構成されている。各ボタンの用途及び機能は、上記リモコンを構成する同一名称のボタンの用途及び機能とそれぞれ同一である。本体操作部は、ユーザにより操作されたボタンに対応した制御信号を制御部８に供給する。
【００３５】
記憶部１１は、ＲＡＭやＲＯＭ、あるいはフラッシュメモリ等の半導体メモリからなり、制御部８が実行する各種プログラムや、ユーザが操作部１０を操作することにより入力したデータ等が記憶される。また、記憶部１１は、制御部８が各種プログラムを実行する際に作業用として使用される。さらに、記憶部１１には、上記番組情報、上記ＥＰＧ、上記すべてのチャンネルのすべての番組と上記インデックスデータＩＤとの対応関係及び、キーワード検索の結果、一致した文字列を有する番組に対応したインデックスデータＩＤの一覧表が、対応する番組情報記憶領域、ＥＰＧ記憶領域、番組識別テーブル及び一覧表記憶領域にそれぞれ記憶される。なお、記憶部１１に記憶される各種プログラムや一部のデータについては、制御部８を構成するＣＰＵ等の内部に設けられたメモリに記憶されると構成しても良い。
【００３６】
テロップ生成部１２は、制御部８から供給される文字データＣＤに基づいて、テロップデータＴＲを生成し、映像合成部６に供給する。ここで、テロップ（TELOP: TELevision Opaque Projector）とは、文字列や映像等を画面において、ある位置から他の位置へ（例えば、右から左へ、左から右へ、上から下へ、下から上へ、右上から左下へあるいは左下から右上へ）とスクロールさせつつ表示することをいう。この場合、画面端まで移動した文字列等は、画面から消え、反対側の画面端からは新しい文字列が表示される。また、文字列等は移動せず、ユーザが操作部１０を操作することにより表示された文字列等を更新させるように構成しても良い。
【００３７】
また、テロップ生成部１２は、制御部８から供給される制御信号に基づいて、テロップの表示領域、行数、表示時間、スクロールの速度、表示／非表示、テロップデータＴＲを構成する文字列の表示サイズ、表示フォント及び表示位置を決定する。上記テロップの表示領域、行数、表示時間、スクロールの速度、表示／非表示、テロップデータＴＲを構成する文字列の表示サイズ、表示フォント及び表示位置は、それぞれ任意に設定可能であり、また、ユーザが操作部１０を操作することにより変更可能に構成しても良い。
【００３８】
なお、上記した放送受信記録再生装置の各構成要素の中には、映像に関連した処理とともに、音声に関連した処理をも行うものがあるが、それらの処理は、本発明には直接関係しないので、その説明を省略する。また、上記した放送受信記録再生装置には、上記した各構成要素の他、音声のみに関連した様々な構成要素が設けられているが、それらの各構成要素は、本発明には直接関係しないので、その説明を省略する。
【００３９】
次に、上記構成の放送受信記録再生装置の動作について説明する。まず、この放送受信記録再生装置に電源が投入されている間は、デジタル放送のすべてのチャンネル（例えば、数百チャンネル）の放送信号がアンテナ１を介して各チューナ２１〜２ｎにおいて同時に受信されており、各チューナ２１〜２ｎは、対応するトランスポートストリーム信号ＴＳ１〜ＴＳｎをデマルチプレクサ３にそれぞれ供給している。
【００４０】
デマルチプレクサ３は、各チューナ２１〜２ｎから供給された各トランスポートストリーム信号ＴＳ１〜ＴＳｎから分離、抽出等を行った番組ごとのＭＰＥＧデータＭＤＩをセレクタ４及び番組記録部９にそれぞれ供給するとともに、番組ごとの付加情報ＳＩを制御部８及び番組記録部９にそれぞれ供給する。制御部８は、デマルチプレクサ３から供給される番組ごとの付加情報ＳＩに基づいて、番組記録部９を構成する記録媒体に記憶すべき番組ごとのＭＰＥＧデータＭＤＩ及び上記付加情報ＳＩを識別するためのインデックスデータＩＤを生成し、生成したインデックスデータＩＤを、制御信号とともに、対応するＭＰＥＧデータＭＤＩ及び付加情報ＳＩに関連づけて番組記録部９に順次供給する。この場合、制御部８は、すべてのチューナ２１〜２ｎによって受信されたすべてのチャンネルのすべての録画番組と上記インデックスデータＩＤとの対応関係を記憶部１１の番組識別テーブルに記憶させる。
【００４１】
これにより、番組記録部９は、制御部８から供給された制御信号に基づいて、例えば、図２に示すように、デマルチプレクサ３から供給されるＭＰＥＧデータＭＤＩ及び付加情報ＳＩを、制御部８から供給されるインデックスデータＩＤに関連づけて上記記録媒体に記録する。図２において、ｋは自然数である。この場合、付加情報ＳＩは、例えば、図３に示すように、項目ごとに上記記録媒体に記録される。
【００４２】
以上説明した処理は、ユーザが現在放送中の任意の番組を視聴している場合においても、当該番組のＭＰＥＧデータＭＤＩ及び付加情報ＳＩについて同様に行われる。従って、ＭＰＥＧデコーダ５、映像合成部６、表示部７及びテロップ生成部１２においては、現在放送中の番組に関するデータも、番組記録部９から読み出された再生中の番組に関するデータも、同様に取り扱われる。
【００４３】
制御部８は、デマルチプレクサ３から順次供給される付加情報ＳＩから番組情報を取得して、記憶部１１の番組情報記憶領域に一時記憶するとともに、上記番組情報をチャンネルごとに定期的に処理してＥＰＧを構築及び更新して記憶部１１のＥＰＧ記憶領域に記憶する。
【００４４】
このような状態において制御部８が実行する処理について、図４〜図６に示すフローチャートを参照して説明する。まず、制御部８は、図４に示すステップＳ１の処理へ進み、現在放送中の番組が選択されたか否かを判断する。この番組選択の判断は、制御部８において、例えば、ユーザが、操作部１０を構成するリモコンのチャンネルボタン、チャンネル増加ボタン又はチャンネル減少ボタン、同じく操作部１０を構成する本体操作部のチャンネル増加ボタン又はチャンネル減少ボタンのいずれかを押下したか否か、あるいは、表示部７を構成するディスプレイにＥＰＧが表示されている状態において、上記リモコン又は上記本体操作部のいずれかの上カーソルボタン、下カーソルボタン、左カーソルボタン、右カーソルボタンを操作してカーソル（図示略）を所望の番組の名称等の上に移動させた後に決定ボタンを押下したか否かにより行う。
【００４５】
ユーザが上記した操作方法で操作部１０を操作してある放送中の番組を選択すると、ステップＳ１の判断結果が「ＹＥＳ」となり、制御部８は、ステップＳ２へ進む。ステップＳ２では、制御部８は、ユーザが選択した現在放送中の番組を表示部７を構成するディスプレイに表示することを指示する制御信号をセレクタ４、ＭＰＥＧデコーダ５及び映像合成部６にそれぞれ供給した後、ステップＳ３へ進む。
【００４６】
これにより、セレクタ４は、制御部８から供給された制御信号に基づいて、デマルチプレクサ３から供給される、現在放送中のすべてのチャンネルのすべての番組のＭＰＥＧデータＭＤＩの中から、ユーザが選択した番組のＭＰＥＧデータＭＤＩを選択して、ＭＰＥＧデータＭＤＳとしてＭＰＥＧデコーダ５に供給する。従って、ＭＰＥＧデコーダ５は、制御部８から供給された制御信号に基づいて、セレクタ４から供給されたＭＰＥＧデータＭＤＳを映像データＶＤへデコードすること等を行う。
【００４７】
今の場合、制御部８からＥＰＧテーブルＥＰＧＴが供給されず、かつ、テロップ生成部１２からテロップデータＴＲが供給されていないものとする。従って、映像合成部６は、制御部８から供給された制御信号に基づいて、ＭＰＥＧデコーダ５から供給された映像データＶＤをそのまま合成映像データＭＶとして表示部７に供給する。これにより、表示部７は、映像合成部６から供給された合成映像データＭＶに基づいて、ディスプレイに、ユーザが選択した現在放送中の番組の映像を表示する。ステップＳ３では、制御部８は、記憶部１１のＥＰＧ記憶領域を参照して、ユーザが選択した現在放送中の番組の付加情報ＳＩを取得した後、ステップＳ８へ進む。
【００４８】
一方、ステップＳ１の判断結果が「ＮＯ」の場合、即ち、現在放送中の番組が選択されなかった場合には、制御部８は、ステップＳ４へ進む。ステップＳ４では、制御部８は、既に番組記録部９に記録されている録画番組が選択されたか否かを判断する。この番組選択の判断は、制御部８において、例えば、ユーザが、表示部７を構成するディスプレイに、番組記録部９に記録されている録画番組の一覧表（サムネイル画像を含む）が表示されている状態において、操作部１０を構成するリモコン又は本体操作部のいずれかの上カーソルボタン、下カーソルボタン、左カーソルボタン、右カーソルボタンを操作してカーソル（図示略）を所望の番組の名称等の上に移動させた後に決定ボタンを押下したか否かにより行う。
【００４９】
ユーザが上記した操作方法で操作部１０を操作してある録画番組を選択すると、ステップＳ４の判断結果が「ＹＥＳ」となり、制御部８は、ステップＳ５へ進む。一方、ステップＳ４の判断結果が「ＮＯ」の場合、即ち、現在放送中の番組及び既に番組記録部９に記録されている録画番組のいずれも選択されなかった場合には、制御部８は、ステップＳ１へ戻る。
【００５０】
ステップＳ５では、制御部８は、記憶部１１の番組識別テーブルを参照して、ユーザが選択した録画番組に対応したインデックスデータＩＤを取得した後、ステップＳ６へ進む。ステップＳ６では、制御部８は、ステップＳ５の処理で取得したインデックスデータＩＤを番組記録部９に供給するとともに、ユーザが選択した録画番組を表示部７を構成するディスプレイに表示することを指示する制御信号をＭＰＥＧデコーダ５、映像合成部６及び番組記録部９にそれぞれ供給した後、ステップＳ７へ進む。
【００５１】
これにより、番組記録部９は、制御部８から供給された制御信号及びインデックスデータＩＤに基づいて、当該インデックスデータＩＤに対応したＭＰＥＧデータＭＤＯを読み出し、ＭＰＥＧデコーダ５に供給する。従って、ＭＰＥＧデコーダ５は、制御部８から供給された制御信号に基づいて、番組記録部９から供給されたＭＰＥＧデータＭＤＯを映像データＶＤへデコードすること等を行う。
【００５２】
今の場合、制御部８からＥＰＧテーブルＥＰＧＴが供給されず、かつ、テロップ生成部１２からテロップデータＴＲが供給されていないものとする。従って、映像合成部６は、制御部８から供給された制御信号に基づいて、ＭＰＥＧデコーダ５から供給された映像データＶＤをそのまま合成映像データＭＶとして表示部７に供給する。これにより、表示部７は、映像合成部６から供給された合成映像データＭＶに基づいて、ディスプレイに、ユーザが選択した録画番組の映像を表示する。
【００５３】
ステップＳ７では、制御部８は、ステップＳ５の処理で取得したインデックスデータＩＤ及び当該インデックスデータＩＤに対応した付加情報ＳＩの提供を指示する制御信号を番組記録部９にそれぞれ供給することにより、番組記録部９から当該インデックスデータＩＤに対応した付加情報ＳＩを取得した後、ステップＳ８へ進む。
【００５４】
ステップＳ８では、制御部８は、ステップ３の処理又はステップＳ７の処理で取得した付加情報ＳＩを構成する番組名、番組内容、番組のジャンル等の番組情報の中から１つ又は複数の文字列をキーワードとして取得した後、ステップＳ９へ進む。ステップＳ９では、制御部８は、ステップＳ８の処理で取得した１つ又は複数の文字列をキーワードとして、番組記録部９を構成する記録媒体に記憶されている番組ごとの付加情報ＳＩを構成する番組名、番組内容、番組のジャンル等の番組情報を構成する文字列を検索し、一致する文字列を抽出した後、ステップＳ１０へ進む。
【００５５】
ステップＳ１０では、制御部８は、一致した文字列を有する番組に対応したインデックスデータＩＤの一覧表を作成し、記憶部１１の一覧表記憶領域に記憶した後、ステップＳ１１へ進む。ステップＳ１１では、制御部８は、ステップＳ１０の処理で作成し、記憶部１１の一覧表記憶領域に記憶した一覧表に基づいて、番組記録部９を構成する記録媒体に記憶されている番組ごとの付加情報ＳＩを構成する番組情報を取得して、この番組情報に基づいて上記一覧表の順に文字データＣＤを順次生成する。次に、制御部８は、生成した文字データＣＤを順次テロップ生成部１２に供給するとともに、テロップ生成部１２に供給した文字データＣＤに対応したテロップを表示部７を構成するディスプレイに表示することを指示する制御信号を映像合成部６及びテロップ生成部１２にそれぞれ供給した後、ステップＳ１２へ進む。
【００５６】
これにより、テロップ生成部１２は、制御部８から供給された制御信号に基づいて、制御部８から供給された文字データＣＤに対応したテロップデータＴＲを生成し、映像合成部６に供給する。従って、映像合成部６は、制御部８から供給された制御信号に基づいて、ＭＰＥＧデコーダ５から供給された映像データＶＤと、制御部８から供給されたテロップデータＴＲとを合成処理して、合成映像データＭＶを生成し、表示部７に供給する。表示部７は、映像合成部６から供給された合成映像データＭＶに基づいて、ディスプレイに、例えば、図７に示すように、ユーザが選択した、現在放送中の番組又は録画番組の映像２１に、当該番組の番組名、番組内容、番組のジャンル等の番組情報を構成する文字列と一致する文字列が含まれる番組情報を有する番組であって、番組記録部９に既に記録されている番組の番組情報の一部をテロップ２２として重畳した映像を表示する。この場合、テロップ２２は、図７に示す画面において、右から左へスクロールされる。
【００５７】
以下、具体例を用いてテロップ２２の表示方法について説明する。まず、ユーザが選択した現在放送中の番組又は録画番組は、２０ｘｘ年２月３日（金）午後７時開始の「野生の世界」という番組枠の番組であって、“ジャングルと水辺に住む動物”というサブタイトルが付されていたとする。そして、上記したステップＳ９の処理において、上記「野生の世界」及び「水辺に住む」というそれぞれの文字列をキーワードとして検索した結果、以下に示す（１）〜（３）の番組の番組情報が検索できたものとする。図７に示すテロップ２２において、「野生の世界」、「水辺に住む」という文字列に２重のアンダーラインが付されているのは、これらの文字列がキーワードであることを示している。この文字列に２重のアンダーラインが付されていることの意味は、図８においても同様である。
【００５８】
（１）１月  １日（水）  野生の世界“大空を舞う狩りの名人”
（２）１月１６日（金）  昆虫王国  “水辺に住む華麗なる昆虫たち”
（３）１月２３日（金）  野生の世界“ジャングルにひそむ猛獣”
【００５９】
従って、テロップ２２は、図８（１）に示すものから、同図（２）に示すものへ、次いで、同図（３）に示すものへと順次変化していく。図７及び図８（１）〜（３）において、文字が右肩上がりの斜体で記載されている番組情報（放送日時、タイトル、サブタイトル）は、当該番組がハイライト表示され、ユーザによる操作部１０の操作により視聴のために選択可能であること（後述）を表している。一方、図７及び図８（１）〜（３）において、文字が左肩上がりの斜体で記載されている番組情報（放送日時、タイトル、サブタイトル）は、当該番組は、ハイライト表示されておらず、ユーザによる操作部１０の操作によっても視聴のために選択できないこと（後述）を表している。なお、選択の可否を表示する場合、上記ハイライト表示の他、文字の反転表示や文字色の変更等を用いても良い。
【００６０】
また、図７の画面上部には、左から右へ順に、青色キー２３、赤色キー２４、緑色キー２５及び黄色キー２６が配列され、表示されている。これら４個のキーは、カラーキーを構成している。カラーキーの色及び配列は、デジタル放送のＥＰＧやデータ番組の操作等に用いるカラーボタンの色及び配置に対応している。このカラーボタンは、青色ボタン、赤色ボタン、緑色ボタン及び黄色ボタンにより構成されている。各カラーキーの機能については、以下において説明する。なお、図７では、青色キー２３を白色の矩形で示し、赤色キー２４を白地に横縞を付した矩形で示し、緑色キー２５を黒色の矩形で示し、黄色キー２６を白地に縦縞を付した矩形で示している。
【００６１】
図４に示すステップＳ１２では、制御部８は、カラーキーを構成する青色キー２３、赤色キー２４、緑色キー２５又は黄色キー２６のいずれかが操作されたか否かを判断する。ステップＳ１２の判断結果が「ＮＯ」の場合には、制御部８は、同判断を繰り返す。このカラーキー操作の判断は、制御部８において、例えば、ユーザが、操作部１０を構成するリモコンの青色ボタン、赤色ボタン、緑色ボタン又は黄色ボタンのいずれかを押下したか否か、あるいは、表示部７を構成するディスプレイに青色キー２３、赤色キー２４、緑色キー２５及び黄色キー２６が表示されている状態において、上記リモコン又は上記本体操作部のいずれかの上カーソルボタン、下カーソルボタン、左カーソルボタン、右カーソルボタンを操作してカーソル（図示略）をいずれかのカラーキー上に移動させた後に決定ボタンを押下したか否かにより行う。
【００６２】
ユーザが上記した操作方法でカラーキーを操作すると、ステップＳ１２の判断結果が「ＹＥＳ」となり、制御部８は、図５に示すステップＳ１３へ進む。ステップＳ１３では、制御部８は、青色キーが操作されたか否か判断する。この青色キー操作の判断は、制御部８において、例えば、ユーザが、操作部１０を構成するリモコンの青色ボタンを押下したか否か、あるいは、表示部７を構成するディスプレイに青色キー２３、赤色キー２４、緑色キー２５及び黄色キー２６が表示されている状態において、上記リモコン又は上記本体操作部のいずれかの上カーソルボタン、下カーソルボタン、左カーソルボタン、右カーソルボタンを操作してカーソル（図示略）を青色キー２３上に移動させた後に決定ボタンを押下したか否かにより行う。ステップＳ１３の判断結果が「ＹＥＳ」の場合には、制御部８は、ステップＳ１４へ進む。
【００６３】
ステップＳ１４では、制御部８は、現在表示部７を構成するディスプレイに表示している番組の表示終了を指示する制御信号をセレクタ４又は番組記録部９及びＭＰＥＧデコーダ５にそれぞれ供給した後、ステップＳ１５へ進む。これにより、ユーザが視聴中の番組が現在放送中の番組である場合には、セレクタ４は、制御部８から供給された制御信号に基づいて、ステップＳ２の処理で選択した番組のＭＰＥＧデータＭＤＩのＭＰＥＧデータＭＤＳとしてのＭＰＥＧデコーダ５への供給を停止する。また、ＭＰＥＧデコーダ５は、制御部８から供給された制御信号に基づいて、セレクタ４から供給されたＭＰＥＧデータＭＤＳの映像データＶＤへのデコード等の処理を停止する。
【００６４】
一方、ユーザが視聴中の番組が既に番組記録部９に記録されている録画番組である場合には、番組記録部９は、制御部８から供給された制御信号に基づいて、先に供給されたインデックスデータＩＤに対応したＭＰＥＧデータＭＤＯの読み出し及びＭＰＥＧデコーダ５への供給を停止する。また、ＭＰＥＧデコーダ５は、制御部８から供給された制御信号に基づいて、番組記録部９から供給されたＭＰＥＧデータＭＤＯの映像データＶＤへのデコード等の処理を停止する。
【００６５】
ステップＳ１５では、制御部８は、ユーザが青色キーを操作した際にテロップ２２に含まれ、かつ、ハイライト表示されて選択可能であった録画番組に関する文字列に対応したインデックスデータＩＤを記憶部１１の番組識別テーブルを参照して取得した後、ステップＳ１６へ進む。今の場合、図７に示すテロップ２２には、１月１日（水）午後７時に放送された「野生の世界」という番組枠の“大空を舞う狩りの名人”というサブタイトルが付されていた録画番組に関する文字列が含まれ、かつ、ハイライト表示されて選択可能とされている。
【００６６】
ステップＳ１６では、制御部８は、ステップＳ１５の処理で取得したインデックスデータＩＤを番組記録部９に供給するとともに、ユーザが選択した録画番組を表示部７を構成するディスプレイに表示することを指示する制御信号をＭＰＥＧデコーダ５、映像合成部６及び番組記録部９にそれぞれ供給する。同時に、制御部８は、ステップＳ１１の処理で生成した文字データＣＤに基づくテロップの表示停止を指示する制御信号を映像合成部６及びテロップ生成部１２にそれぞれ供給した後、一連の処理を終了する。
【００６７】
これにより、番組記録部９は、制御部８から供給された制御信号及びインデックスデータＩＤに基づいて、当該インデックスデータＩＤに対応したＭＰＥＧデータＭＤＯを読み出し、ＭＰＥＧデコーダ５に供給する。今の場合、番組記録部９は、１月１日（水）午後７時に放送された「野生の世界」という番組枠の“大空を舞う狩りの名人”というサブタイトルが付されていた録画番組のＭＰＥＧデータＭＤＯを読み出し、ＭＰＥＧデコーダ５に供給する。従って、ＭＰＥＧデコーダ５は、制御部８から供給された制御信号に基づいて、番組記録部９から供給されたＭＰＥＧデータＭＤＯを映像データＶＤへデコードすること等を行う。
【００６８】
今の場合、制御部８からＥＰＧテーブルＥＰＧＴが供給されていないものとし、また、上記したように、制御部８から文字データＣＤに基づくテロップの表示停止を指示されている。従って、映像合成部６は、制御部８から供給された制御信号に基づいて、ＭＰＥＧデコーダ５から供給された映像データＶＤをそのまま合成映像データＭＶとして表示部７に供給する。これにより、表示部７は、映像合成部６から供給された合成映像データＭＶに基づいて、ディスプレイに、ユーザが選択した録画番組の映像を表示する。今の場合、１月１日（水）午後７時に放送された「野生の世界」という番組枠の“大空を舞う狩りの名人”というサブタイトルが付されていた録画番組がディスプレイに表示される。
【００６９】
一方、ステップＳ１３の判断結果が「ＮＯ」の場合、即ち、青色キーが操作されなかった場合には、制御部８は、ステップＳ１７へ進む。ステップＳ１７では、制御部８は、赤色キーが操作されたか否か判断する。この赤色キー操作の判断は、制御部８において、例えば、ユーザが、操作部１０を構成するリモコンの赤色ボタンを押下したか否か、あるいは、表示部７を構成するディスプレイに青色キー２３、赤色キー２４、緑色キー２５及び黄色キー２６が表示されている状態において、上記リモコン又は上記本体操作部のいずれかの上カーソルボタン、下カーソルボタン、左カーソルボタン、右カーソルボタンを操作してカーソル（図示略）を赤色キー２４上に移動させた後に決定ボタンを押下したか否かにより行う。ステップＳ１７の判断結果が「ＹＥＳ」の場合には、制御部８は、ステップＳ１８へ進む。
【００７０】
ステップＳ１８では、制御部８は、ユーザが赤色キーを操作した際に、テロップ２２に含まれ、かつ、ハイライト表示されて選択可能であった録画番組に関する文字列に対応したインデックスデータＩＤを記憶部１１の番組識別テーブルを参照して取得する。次に、制御部８は、選択された当該番組を現在視聴中の番組終了後に再生するために、記憶部１１の所定の記憶領域に、選択された当該番組のインデックスデータＩＤを登録した後、ステップＳ１９へ進む。今の場合、図示せぬディスプレイの画面のテロップには、１月２３日（金）午後７時に放送された「野生の世界」という番組枠の“ジャングルにひそむ野獣”というサブタイトルが付されていた録画番組に関する文字列が含まれ、かつ、ハイライト表示されて選択可能とされているものとする。
【００７１】
ステップＳ１９では、制御部８は、ユーザが現在視聴している番組が終了したか否かを判断する。この判断は、制御部８において、例えば、放送受信記録再生装置の内部に設けられハードウェアにより構成されたタイマ又はプログラムにより構成されたタイマ（いずれも図示略）（以下、「内部タイマ」と総称する。）により示される現在時刻と、現在放送中の番組に関する付加情報ＳＩを構成する番組情報に含まれる放送終了日時とが一致するか否かを判断したり、録画番組の再生開始時刻からカウントを開始した上記内部タイマの経過時間と上記録画番組に関する付加情報ＳＩを構成する番組情報に含まれる放送時間とが一致するか否かを判断したりして行う。上記した判断手法は、後述するステップＳ２５の処理においても同様である。ステップＳ１９の判断結果が「ＮＯ」の場合には、制御部８は、同判断を繰り返す。そして、ユーザが現在視聴している番組が終了すると、ステップＳ１９の判断結果が「ＹＥＳ」となり、制御部８は、ステップＳ２０へ進む。
【００７２】
ステップＳ２０では、制御部８は、ステップＳ１８の処理で記憶部１１の所定の記憶領域に登録したインデックスデータＩＤを番組記録部９に供給するとともに、ユーザが選択した録画番組を表示部７を構成するディスプレイに表示することを指示する制御信号をＭＰＥＧデコーダ５、映像合成部６及び番組記録部９にそれぞれ供給する。同時に、制御部８は、ステップＳ１１の処理で生成した文字データＣＤに基づくテロップの表示停止を指示する制御信号を映像合成部６及びテロップ生成部１２にそれぞれ供給した後、一連の処理を終了する。
【００７３】
これにより、番組記録部９は、制御部８から供給された制御信号及びインデックスデータＩＤに基づいて、当該インデックスデータＩＤに対応したＭＰＥＧデータＭＤＯを読み出し、ＭＰＥＧデコーダ５に供給する。今の場合、番組記録部９は、１月２３日（金）午後７時に放送された「野生の世界」という番組枠の“ジャングルにひそむ野獣”というサブタイトルが付されていた録画番組のＭＰＥＧデータＭＤＯを読み出し、ＭＰＥＧデコーダ５に供給する。従って、ＭＰＥＧデコーダ５は、制御部８から供給された制御信号に基づいて、番組記録部９から供給されたＭＰＥＧデータＭＤＯを映像データＶＤへデコードすること等を行う。
【００７４】
今の場合、制御部８からＥＰＧテーブルＥＰＧＴが供給されていないものとし、また、上記したように、制御部８から文字データＣＤに基づくテロップの表示停止を指示されている。従って、映像合成部６は、制御部８から供給された制御信号に基づいて、ＭＰＥＧデコーダ５から供給された映像データＶＤをそのまま合成映像データＭＶとして表示部７に供給する。これにより、表示部７は、映像合成部６から供給された合成映像データＭＶに基づいて、ディスプレイに、ユーザが選択した録画番組の映像を表示する。今の場合、１月２３日（金）午後７時に放送された「野生の世界」という番組枠の“ジャングルにひそむ野獣”というサブタイトルが付されていた録画番組がディスプレイに表示される。
【００７５】
一方、ステップＳ１７の判断結果が「ＮＯ」の場合、即ち、赤色キーが操作されなかった場合には、制御部８は、図６に示すステップＳ２１へ進む。ステップＳ２１では、制御部８は、緑色キーが操作されたか否か判断する。この緑色キー操作の判断は、制御部８において、例えば、ユーザが、操作部１０を構成するリモコンの緑色ボタンを押下したか否か、あるいは、表示部７を構成するディスプレイに青色キー２３、赤色キー２４、緑色キー２５及び黄色キー２６が表示されている状態において、上記リモコン又は上記本体操作部のいずれかの上カーソルボタン、下カーソルボタン、左カーソルボタン、右カーソルボタンを操作してカーソル（図示略）を緑色キー２５上に移動させた後に決定ボタンを押下したか否かにより行う。ステップＳ２１の判断結果が「ＹＥＳ」の場合には、制御部８は、ステップＳ２２へ進む。
【００７６】
ステップＳ２２では、制御部８は、現在表示部７を構成するディスプレイに表示している番組のインデックスデータＩＤを記憶部１１の番組識別テーブルを参照して取得するとともに、現在表示部７を構成するディスプレイに表示している番組が現在放送中の番組である場合には当該番組の放送開始時刻から上記した内部タイマにより示される現在時刻を減算した減算結果からなる時間情報を取得し、現在表示部７を構成するディスプレイに表示している番組が既に番組記録部９に記録されている録画番組である場合には当該番組の再生開始時刻から上記した内部タイマにより示される現在時刻を減算した減算結果からなる時間情報を取得する。次に、制御部８は、選択された当該番組の終了後に現在表示部７を構成するディスプレイに表示している番組をその続きから再生するために、記憶部１１の所定の記憶領域に、今取得した、現在表示部７を構成するディスプレイに表示している番組のインデックスデータＩＤ及び時間情報を登録した後、ステップＳ２３へ進む。
【００７７】
ステップＳ２３では、制御部８は、ユーザが緑色キーを操作した際にテロップ２２に含まれ、かつ、ハイライト表示されて選択可能であった録画番組に関する文字列に対応したインデックスデータＩＤを記憶部１１の番組識別テーブルを参照して取得した後、ステップＳ２４へ進む。今の場合、図示せぬディスプレイの画面のテロップには、１月１６日（金）午後７時に放送された「昆虫王国」という番組枠の“水辺に住む華麗なる昆虫たち”というサブタイトルが付されていた録画番組に関する文字列が含まれ、かつ、ハイライト表示されて選択可能とされているものとする。
【００７８】
ステップＳ２４では、制御部８は、ステップＳ２３の処理で取得したインデックスデータＩＤを番組記録部９に供給するとともに、ユーザが選択した録画番組を表示部７を構成するディスプレイに表示することを指示する制御信号をＭＰＥＧデコーダ５、映像合成部６及び番組記録部９にそれぞれ供給する。同時に、制御部８は、ステップＳ１１の処理で生成した文字データＣＤに基づくテロップの表示停止を指示する制御信号を映像合成部６及びテロップ生成部１２にそれぞれ供給した後、ステップＳ２５へ進む。
【００７９】
これにより、番組記録部９は、制御部８から供給された制御信号及びインデックスデータＩＤに基づいて、当該インデックスデータＩＤに対応したＭＰＥＧデータＭＤＯを読み出し、ＭＰＥＧデコーダ５に供給する。今の場合、番組記録部９は、１月１６日（金）午後７時に放送された「昆虫王国」という番組枠の“水辺に住む華麗なる昆虫たち”というサブタイトルが付されていた録画番組のＭＰＥＧデータＭＤＯを読み出し、ＭＰＥＧデコーダ５に供給する。従って、ＭＰＥＧデコーダ５は、制御部８から供給された制御信号に基づいて、番組記録部９から供給されたＭＰＥＧデータＭＤＯを映像データＶＤへデコードすること等を行う。
【００８０】
今の場合、制御部８からＥＰＧテーブルＥＰＧＴが供給されていないものとし、また、上記したように、制御部８から文字データＣＤに基づくテロップの表示停止を指示されている。従って、映像合成部６は、制御部８から供給された制御信号に基づいて、ＭＰＥＧデコーダ５から供給された映像データＶＤをそのまま合成映像データＭＶとして表示部７に供給する。これにより、表示部７は、映像合成部６から供給された合成映像データＭＶに基づいて、ディスプレイに、ユーザが選択した録画番組の映像を表示する。今の場合、１月１６日（金）午後７時に放送された「昆虫王国」という番組枠の“水辺に住む華麗なる昆虫たち”というサブタイトルが付されていた録画番組がディスプレイに表示される。
【００８１】
ステップＳ２５では、制御部８は、ユーザが現在視聴している番組が終了したか否かを判断する。この判断手法は、上記したステップＳ１９の処理で説明したものと同様である。ステップＳ２５の判断結果が「ＮＯ」の場合には、制御部８は、同判断を繰り返す。そして、ユーザが現在視聴している番組が終了すると、ステップＳ２５の判断結果が「ＹＥＳ」となり、制御部８は、ステップＳ２６へ進む。
【００８２】
ステップＳ２６では、制御部８は、ステップＳ２２の処理で記憶部１１の所定の記憶領域に登録したインデックスデータＩＤ及び時間情報を番組記録部９に供給するとともに、ユーザが選択した録画番組を表示部７を構成するディスプレイにその続きから表示することを指示する制御信号をＭＰＥＧデコーダ５、映像合成部６及び番組記録部９にそれぞれ供給する。同時に、制御部８は、ステップＳ１１の処理で生成した文字データＣＤに基づくテロップの表示停止を指示する制御信号を映像合成部６及びテロップ生成部１２にそれぞれ供給した後、一連の処理を終了する。
【００８３】
これにより、番組記録部９は、制御部８から供給された制御信号、インデックスデータＩＤ及び時間情報に基づいて、当該インデックスデータＩＤに対応したＭＰＥＧデータＭＤＯを当該時間情報に対応した時刻、即ち、ユーザが緑色キーを操作した時刻以降の分から読み出し、ＭＰＥＧデコーダ５に供給する。今の場合、番組記録部９は、２０ｘｘ年２月３日（金）午後７時開始の「野生の世界」という番組枠の“ジャングルと水辺に住む動物”というサブタイトルが付されていた番組のＭＰＥＧデータＭＤＯを当該時間情報に対応した時刻、即ち、ユーザが緑色キーを操作した時刻以降の分から読み出し、ＭＰＥＧデコーダ５に供給する。従って、ＭＰＥＧデコーダ５は、制御部８から供給された制御信号に基づいて、番組記録部９から供給されたＭＰＥＧデータＭＤＯを映像データＶＤへデコードすること等を行う。
【００８４】
今の場合、制御部８からＥＰＧテーブルＥＰＧＴが供給されていないものとし、また、上記したように、制御部８から文字データＣＤに基づくテロップの表示停止を指示されている。従って、映像合成部６は、制御部８から供給された制御信号に基づいて、ＭＰＥＧデコーダ５から供給された映像データＶＤをそのまま合成映像データＭＶとして表示部７に供給する。これにより、表示部７は、映像合成部６から供給された合成映像データＭＶに基づいて、ディスプレイに、ユーザが先に視聴しており、緑色キーを操作することにより中断した録画番組の中断時以降の映像を表示する。今の場合、２０ｘｘ年２月３日（金）午後７時開始の「野生の世界」という番組枠の“ジャングルと水辺に住む動物”というサブタイトルが付されていた番組のうち、ユーザが緑色キーを操作した時刻以降の分がディスプレイに表示される。
【００８５】
この場合、ユーザが視聴を中断した番組が放送中のものであった場合でも、ユーザが選択した録画番組を視聴している間に当該番組自体の放送が終了しているか、あるいは、少なくともユーザが緑色キーを操作した時刻以降のいくらかの時間分の放送は終了している。しかし、本実施の形態１に係る放送受信記録再生装置では、デジタル放送のすべてのチャンネルを同時に受信してすべての番組を番組記録部９に記録している。従って、ステップＳ２６の処理は、ユーザが緑色キーを操作した際に視聴していた番組が現在放送中のものであっても、既に番組記録部９に記録されている録画番組であっても異なることはない。
【００８６】
一方、ステップＳ２１の判断結果が「ＮＯ」の場合、即ち、緑色キーが操作されなかった場合には、制御部８は、黄色キーが操作されたと判断して、ステップＳ２７へ進む。ステップＳ２７では、制御部８は、ステップＳ１０で作成し、記憶部１１の一覧表記憶領域に記憶した、一致した文字列を有する番組に対応したインデックスデータＩＤの一覧表を読み出して映像合成部６に供給するとともに、上記一覧表を表示部７を構成するディスプレイに表示することを指示する制御信号を映像合成部６に供給する。同時に、制御部８は、ステップＳ１１の処理で生成した文字データＣＤに基づくテロップの表示停止を指示する制御信号を映像合成部６及びテロップ生成部１２にそれぞれ供給した後、ステップＳ２８へ進む。
【００８７】
今の場合、制御部８からＥＰＧテーブルＥＰＧＴが供給されていないものとし、また、上記したように、制御部８から文字データＣＤに基づくテロップの表示停止を指示されている。従って、映像合成部６は、制御部８から供給された制御信号に基づいて、ＭＰＥＧデコーダ５から供給された映像データＶＤと、制御部８から供給されたインデックスデータＩＤの一覧表とを合成処理して、合成映像データＭＶを生成し、表示部７に供給する。これにより、表示部７は、映像合成部６から供給された合成映像データＭＶに基づいて、ディスプレイに、現在放送中の番組又は録画番組の映像に、上記インデックスデータＩＤの一覧表を重畳した映像を表示する。
【００８８】
ステップＳ２８では、制御部８は、ディスプレイに表示されたインデックスデータＩＤの一覧表の中からいずれかの番組が選択されたか否かを判断する。ステップＳ２８の判断結果が「ＮＯ」の場合には、制御部８は、同判断を繰り返す。この番組選択の判断は、制御部８において、例えば、ユーザが、表示部７を構成するディスプレイに、インデックスデータＩＤの一覧表（サムネイル画像を含む）が表示されている状態において、操作部１０を構成するリモコン又は本体操作部のいずれかの上カーソルボタン、下カーソルボタン、左カーソルボタン、右カーソルボタンを操作して所望の番組の名称等の上に移動させた後に決定ボタンを押下したか否かにより行う。
【００８９】
ユーザが上記した操作方法で操作部１０を操作してある番組を選択すると、ステップＳ２８の判断結果が「ＹＥＳ」となり、制御部８は、ステップＳ２９へ進む。ステップＳ２９では、制御部８は、記憶部１１の番組識別テーブルを参照して、ユーザが選択した録画番組に対応したインデックスデータＩＤを取得した後、ステップＳ３０へ進む。ステップＳ３０では、制御部８は、ステップＳ２９の処理で取得したインデックスデータＩＤを番組記録部９に供給するとともに、ユーザが選択した録画番組を表示部７を構成するディスプレイに表示することを指示する制御信号をＭＰＥＧデコーダ５、映像合成部６及び番組記録部９にそれぞれ供給する。同時に、制御部８は、ステップＳ１１の処理で生成した文字データＣＤに基づくテロップの表示停止を指示する制御信号を映像合成部６及びテロップ生成部１２にそれぞれ供給した後、一連の処理を終了する。
【００９０】
これにより、番組記録部９は、制御部８から供給された制御信号及びインデックスデータＩＤに基づいて、当該インデックスデータＩＤに対応したＭＰＥＧデータＭＤＯを読み出し、ＭＰＥＧデコーダ５に供給する。従って、ＭＰＥＧデコーダ５は、制御部８から供給された制御信号に基づいて、番組記録部９から供給されたＭＰＥＧデータＭＤＯを映像データＶＤへデコードすること等を行う。
【００９１】
今の場合、制御部８からＥＰＧテーブルＥＰＧＴが供給されていないものとし、また、上記したように、制御部８から文字データＣＤに基づくテロップの表示停止を指示されている。従って、映像合成部６は、制御部８から供給された制御信号に基づいて、ＭＰＥＧデコーダ５から供給された映像データＶＤをそのまま合成映像データＭＶとして表示部７に供給する。これにより、表示部７は、映像合成部６から供給された合成映像データＭＶに基づいて、ディスプレイに、ユーザが選択した録画番組の映像を表示する。
【００９２】
このように、本発明の実施の形態１では、デジタル放送のすべてのチャンネルを同時に受信してすべての番組を一定期間分程度、記録媒体に記録・再生する放送受信記録再生装置において、記録媒体に記録した膨大な量の番組の中からユーザが所望の番組を選択することを支援するために、ユーザが現在視聴している番組が有するチャンネル名、番組名等を含む番組情報を構成する所定の文字列の全部又は一部が含まれる番組情報を有する番組（現在視聴している番組の帯番組、シリーズ物、内容が似ている番組、比較番組など）をキーワード検索により抽出し、抽出された番組が有する番組情報の少なくとも一部をテロップとしてディスプレイの画面の一部に表示している。
【００９３】
また、本発明の実施の形態１では、画面に上記テロップを表示するとともに、青色キー２３、赤色キー２４、緑色キー２５及び黄色キー２６からなるカラーキーを表示し、青色キー２３が操作された場合には上記テロップに表示されている番組情報の番組（以下、「選択番組」と称する。）を直ちに再生し、赤色キー２４が操作された場合には現在視聴中の番組終了後に選択番組を再生し、緑色キー２５が操作された場合には現在視聴中の番組を中断して選択番組を直ちに再生した後、中断した番組を再生し、黄色キー２６が操作された場合にはキーワード検索された番組情報の番組の一覧を表示してその中から選択された番組を再生している。
【００９４】
従って、本発明の実施の形態１によれば、上記した第１及び第２の従来例のように、わざわざ膨大な番組のリストを表示させることなく、ユーザが視聴を希望するであろう番組を検索し、最小限の操作で所望の番組を視聴することができる。また、本発明の実施の形態１によれば、テロップを用いて番組情報を表示するとともに、カラーキーを表示しているので、ユーザの現在の番組の視聴を妨げることなく、番組の検索や再生方法を設定することができる。
【００９５】
さらに、本発明の実施の形態１によれば、ユーザが現在視聴している番組の番組情報を構成する文字列に基づいて、記録媒体に記録された番組の番組情報を検索するので、ユーザが予めキーワード等を設定する必要がなく、膨大な番組から視聴を希望する番組を容易に探し出すことができる。以上説明したように、本発明の実施の形態１によれば、記録媒体に記録された多数の番組の中から所望の番組を、短時間に、かつ、簡単な操作で選択することができる。
【００９６】
実施の形態２．
上述の実施の形態１では、キーワードは自動的に設定される例を示したが、これに限定されない。例えば、現在視聴中の番組の番組情報の中から名詞のみを抽出して、画面に一覧表として表示して、ユーザにキーワードを選択させるように構成しても良い。このように構成すれば、よりユーザの要望や嗜好に合致した番組を抽出することができる。
【００９７】
実施の形態３．
上述の各実施の形態では、放送受信記録再生装置は、デジタル放送のすべてのチャンネルを同時に受信してすべての番組を所定期間、記録媒体に記録・再生するものである例を示したが、これに限定されない。本発明は、デジタル放送の複数のチャンネルを同時に受信して複数の番組を所定期間、記録媒体に記録・再生する放送受信記録再生装置にも適用することができる。また、アナログ放送の複数のチャンネルを同時に受信して複数の番組を所定期間、記録媒体に記録・再生する放送受信記録再生装置であっても、インターネット等を介して番組ごとの番組情報が取得可能に構成されていれば、本発明を適用することができる。デジタル放送及びアナログ放送のいずれも受信可能な放送受信記録再生装置についても同様に本発明を適用することができる。
【００９８】
実施の形態４．
上述の各実施の形態では、記録媒体に記録されたすべての番組がキーワード検索の対象である例を示したが、これに限定されない。例えば、視聴している番組のジャンルによって、検索範囲を限定するように構成しても良い。例えば、ドラマやドキュメンタリー等の番組に関しては記録媒体に記録されたすべての番組をキーワード検索の対象とするが、ニュースや天気予報等の番組に関しては、例えば、記録媒体に記録されたすべての番組のうち、現在時刻の前後２４時間以内に記録されたものにキーワード検索の対象を限定しても良い。この検索範囲の設定は、放送受信記録再生装置を構成する制御部８が番組のジャンルごとに自動的に行っても良いし、ユーザが操作部１０を操作することにより予め又はテロップが表示されるごとあるいは適宜行っても良い。
【００９９】
実施の形態５．
上述の各実施の形態では、画面に青色キー２３、赤色キー２４、緑色キー２５及び黄色キー２６からなるカラーキーを表示する例を示したが、これに限定されない。例えば、カラーキーに換えて又はカラーキーの内部に、各キーの機能を示す文字を表示するように構成しても良い。各キーの機能を示す文字としては、例えば、青色キー２３の場合、「即再生」という文字、赤色キー２４の場合、「視聴後再生」という文字、緑色キー２５の場合、「即再生＋続き再生」という文字、黄色キー２６の場合、「一覧表示」という文字などである。このように構成すれば、ユーザは、キーの機能を理解しやすいため、使い勝手が向上する。
【０１００】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
例えば、上述の各実施の形態では、テロップは一定速度でスクロールする例を示している。しかし、ユーザがよそ見をしていたり、画面を見ていてもテロップが流れていることに気づかない場合には、テロップ、特に、ハイライト表示された文字列を見逃してしまう場合がある。そこで、ユーザが操作部１０を操作することにより、テロップの停止又は巻き戻しができるように構成しても良い。
【０１０１】
また、上述の各実施の形態では、番組情報の全部又は一部をテロップで画面に表示する例を示したが、これに限定されず、例えば、ユーザの視聴に支障がない程度でＯＳＤ表示形式で画面に表示しても良い。
また、上述の各実施の形態は、その目的及び構成等に特に矛盾や問題がない限り、互いの技術を流用することができる。
【図面の簡単な説明】
【０１０２】
【図１】本発明の実施の形態１に係る放送受信記録再生装置の一部の構成を示すブロック図である。
【図２】図１に示す放送受信記録再生装置を構成する番組記録部に記録されるデータの構成の一例を示す図である。
【図３】図１に示す放送受信記録再生装置を構成する番組記録部に記録される付加情報ＳＩの記録形態の一例を示す図である。
【図４】図１に示す放送受信記録再生装置を構成する制御部が実行する処理を示すフローチャートである。
【図５】図１に示す放送受信記録再生装置を構成する制御部が実行する処理を示すフローチャートである。
【図６】図１に示す放送受信記録再生装置を構成する制御部が実行する処理を示すフローチャートである。
【図７】図１に示す放送受信記録再生装置を構成する表示部のディスプレイに表示される画面の一例を示す図である。
【図８】上記ディスプレイに表示されるテロップ表示が変化する様子を説明するための図である。
【符号の説明】
【０１０３】
１  アンテナ
２１〜２ｎ  チューナ
３  デマルチプレクサ（ＤＥＭＵＸ）
４  セレクタ
５  ＭＰＥＧデコーダ
６  映像合成部
７  表示部
８  制御部
９  番組記録部
１０  操作部
１１  記憶部
１２  テロップ生成部
２１  映像
２２  テロップ
２３  青色キー
２４  赤色キー
２５  緑色キー
２６  黄色キー
【図１】
2008109453.tif 000003
【図２】
2008109453.tif 000004
【図３】
2008109453.tif 000005
【図４】
2008109453.tif 000006
【図５】
2008109453.tif 000007
【図６】
2008109453.tif 000008
【図７】
2008109453.tif 000009
【図８】
2008109453.tif 000010